(57)【要約】【課題】特定見出し語の登録先のデータを読み出す操作を行うことなく、ユーザに特定見出し語を認識させること。【解決手段】電子辞書には、過去に検索した見出し語や単語帳に登録された見出し語など、予め特定見出し語が格納されている。検索対象となる見出し語が入力されると、ＣＰＵは、入力された見出し語に対応する解説情報を辞書データから読み出しメイン画面に表示する。また、ＣＰＵは、この解説情報の中に特定見出し語が含まれているか否かを判断し、特定見出し語が含まれている場合、一致する特定見出し語の文字列を他の文字列と異なる表示形態を用いてメイン画面に表示する。さらに、一致する特定見出し語の解説情報をプレビュー画面に表示する。このような表示処理を行うことにより、検索対象となる見出し語の解説の中に存在する特定見出し語およびその解説内容を、容易にユーザに認識させることができる。【選択図】図８
2008165713.tif 000002
【特許請求の範囲】
【請求項１】
見出し語と、前記見出し語の説明情報とを記憶する情報記憶手段と、
特定見出し語として予め特定された見出し語を記憶する特定見出し語記憶手段と、
前記情報記憶手段に記憶されているいずれかの見出し語の指定を受け付ける受付手段と、
前記受け付けられた見出し語の説明情報に含まれる特定見出し語を抽出する抽出手段と、
前記受け付けられた見出し語を表示すると共に、その見出し語の説明情報を前記抽出された特定見出し語を他の語と識別可能に表示する表示手段と、
を備えたことを特徴とする情報表示装置。
【請求項２】
前記表示手段は、前記受け付けられた見出し語に対応する説明情報を第１の領域に表示し、前記抽出された特定見出し語に対応する説明情報を第２の領域に表示することを特徴とする請求項１記載の情報表示装置。
【請求項３】
前記表示手段は、前記受け付けられた見出し語に対応する説明情報の中から、複数の前記特定見出し語が抽出された場合、前記第１の領域に表示されている説明情報の中の、前記第２の領域に表示されている説明情報に対応する特定見出し語を、他の特定見出し語と識別可能に表示する、又は、前記第２の領域を分割して、前記抽出された特定見出し語ごとに対応する説明情報を表示することを特徴とする請求項２記載の情報表示装置。
【請求項４】
前記特定見出し語記憶手段は、前記特定見出し語を該当する種別情報と紐付けて記憶し、
前記表示手段は、前記抽出された１つの特定見出し語に複数の前記種別情報が紐付けられている場合、前記第２の領域を分割して、該特定見出し語に対応する説明情報を前記種別情報ごとに表示することを特徴とする請求項１、請求項２または請求項３記載の情報表示装置。
【請求項５】
前記特定見出し語記憶手段は、前記特定見出し語を該当する種別情報と紐付けて記憶し、
前記表示手段は、前記抽出された１つの特定見出し語に複数の前記種別情報が紐付けられている場合、前記第１の領域に、該特定見出し語と共に、この特定見出し語に紐付けられている前記種別情報の数情報を表示することを特徴とする請求項１から請求項４のいずれか１の請求項に記載の情報表示装置。
【請求項６】
前記特定見出し語に紐付けられる種別情報は、所定の見出し語リストに登録されていることを示す情報、及び、過去に指定された見出し語であることを示す情報のうちの少なくとも１つを含むことを特徴とする請求項１から請求項５のいずれか１の請求項に記載の情報表示装置。
【請求項７】
前記表示手段は、前記第１の領域、及び、前記第２の領域のうちの少なくとも一方は、該当領域に表示する情報量に応じて、表示する文字サイズを変更することを特徴とする請求項１から請求項６のいずれか１の請求項に記載の情報表示装置。
【請求項８】
前記表示手段は、表示する情報量に応じて、前記第１の領域と前記第２の領域との領域比率を変更することを特徴とする請求項１から請求項６のいずれか１の請求項に記載の情報表示装置。
【請求項９】
見出し語と、前記見出し語の説明情報とを記憶する情報記憶手段を有する情報表示装置に、
特定見出し語として予め特定された見出し語を記憶する特定見出し語記憶機能と、
前記情報記憶手段に記憶されているいずれかの見出し語の指定を受け付ける受付機能と、
前記受け付けられた見出し語の説明情報に含まれる特定見出し語を抽出する抽出機能と、
前記受け付けられた見出し語を表示すると共に、その見出し語の説明情報を前記抽出された特定見出し語を他の語と識別可能に表示する表示機能と、
を実現させることを特徴とする情報表示プログラム。
【発明の詳細な説明】
【技術分野】
【０００１】
本発明は、情報表示装置、及び情報表示プログラムに関し、例えば、見出し語に対応する説明情報を表示する技術に関する。
【背景技術】
【０００２】
複数の見出し語と、これらの見出し語に対応する説明情報とが格納された、国語辞典、英和辞典、和英辞典などの辞書データが内蔵された電子辞書が普及している。電子辞書を使用することにより、紙の辞書に比べて高速な見出し語の検索が可能となる。
従来、このような電子辞書に、利便性を向上させるための機能を付加する技術が下記の特許文献に提案されている。
【特許文献１】特開２００５−１４１５５８公報
【特許文献２】特開２００５−３８０３３公報
【０００３】
特許文献１には、過去に検索した見出し語を、検索時に使用した辞書モード別にヒストリ一覧テーブルに登録する機能が提案されている。
また、特許文献２には、特定の見出し語を単語・訳語・用例・不規則語・連語などに区分けして単語帳に登録する機能が提案されている。
【発明の開示】
【発明が解決しようとする課題】
【０００４】
ところで、特許文献１で提案されている履歴情報を登録する機能を用いて登録された見出し語の内容を確認する場合に、ユーザは、ヒストリ一覧テーブルを参照する操作を行わなければならなかった。
また、特許文献２で提案されている単語帳の作成機能を用いて登録された見出し語の内容を確認する場合においても、ユーザは、単語帳を参照する操作を行わなければならなかった。
つまり、履歴情報として登録されている見出し語や、単語帳に登録されている見出し語など、予め特定されている特定見出し語を認識するために、ユーザは、これらの特定見出し語の登録先のデータを読み出す操作を行う必要があった。
【０００５】
そこで本発明は、特定見出し語の登録先のデータを読み出す操作を行うことなく、ユーザに特定見出し語を認識させることを目的とする。
【課題を解決するための手段】
【０００６】
請求項１記載の発明では、見出し語と、前記見出し語の説明情報とを記憶する情報記憶手段と、特定見出し語として予め特定された見出し語を記憶する特定見出し語記憶手段と、前記情報記憶手段に記憶されているいずれかの見出し語の指定を受け付ける受付手段と、前記受け付けられた見出し語の説明情報に含まれる特定見出し語を抽出する抽出手段と、前記受け付けられた見出し語を表示すると共に、その見出し語の説明情報を前記抽出された特定見出し語を他の語と識別可能に表示する表示手段と、を備えることにより前記目的を達成する。
請求項２記載の発明では、請求項１記載の情報表示装置において、前記表示手段は、前記受け付けられた見出し語に対応する説明情報を第１の領域に表示し、前記抽出された特定見出し語に対応する説明情報を第２の領域に表示することを特徴とする。
請求項３記載の発明では、請求項２記載の情報表示装置において、前記表示手段は、前記受け付けられた見出し語に対応する説明情報の中から、複数の前記特定見出し語が抽出された場合、前記第１の領域に表示されている説明情報の中の、前記第２の領域に表示されている説明情報に対応する特定見出し語を、他の特定見出し語と識別可能に表示する、又は、前記第２の領域を分割して、前記抽出された特定見出し語ごとに対応する説明情報を表示することを特徴とする。
請求項４記載の発明では、請求項１、請求項２または請求項３記載の情報表示装置において、前記特定見出し語記憶手段は、前記特定見出し語を該当する種別情報と紐付けて記憶し、前記表示手段は、前記抽出された１つの特定見出し語に複数の前記種別情報が紐付けられている場合、前記第２の領域を分割して、該特定見出し語に対応する説明情報を前記種別情報ごとに表示することを特徴とする。
請求項５記載の発明では、請求項１から請求項４のいずれか１の請求項に記載の情報表示装置において、前記特定見出し語記憶手段は、前記特定見出し語を該当する種別情報と紐付けて記憶し、前記表示手段は、前記抽出された１つの特定見出し語に複数の前記種別情報が紐付けられている場合、前記第１の領域に、該特定見出し語と共に、この特定見出し語に紐付けられている前記種別情報の数情報を表示することを特徴とする。
請求項６記載の発明では、請求項１から請求項５のいずれか１の請求項に記載の情報表示装置において、前記特定見出し語に紐付けられる種別情報は、所定の見出し語リストに登録されていることを示す情報、及び、過去に指定された見出し語であることを示す情報のうちの少なくとも１つを含むことを特徴とする。
請求項７記載の発明では、請求項１から請求項６のいずれか１の請求項に記載の情報表示装置において、前記表示手段は、前記第１の領域、及び、前記第２の領域のうちの少なくとも一方は、該当領域に表示する情報量に応じて、表示する文字サイズを変更することを特徴とする。
請求項８記載の発明では、請求項１から請求項６のいずれか１の請求項に記載の情報表示装置において、前記表示手段は、表示する情報量に応じて、前記第１の領域と前記第２の領域との領域比率を変更することを特徴とする。
請求項９記載の発明では、見出し語と、前記見出し語の説明情報とを記憶する情報記憶手段を有する情報表示装置に、特定見出し語として予め特定された見出し語を記憶する特定見出し語記憶機能と、前記情報記憶手段に記憶されているいずれかの見出し語の指定を受け付ける受付機能と、前記受け付けられた見出し語の説明情報に含まれる特定見出し語を抽出する抽出機能と、前記受け付けられた見出し語を表示すると共に、その見出し語の説明情報を前記抽出された特定見出し語を他の語と識別可能に表示する表示機能と、を実現させることにより前記目的を達成する。
【発明の効果】
【０００７】
本発明によれば、指定された見出し語に対応する説明情報の中に存在する特定見出し語を、説明情報の中の他の語と識別可能に表示することにより、容易に説明情報の中の特定見出し語をユーザに認識させることができる。
【発明を実施するための最良の形態】
【０００８】
以下、本発明の情報表示装置における好適な実施の形態について、図１から図１０を参照して詳細に説明する。
なお、本実施の形態では、情報表示装置の一例として、携帯型の電子辞書１を用いて説明する。
（１）実施形態の概要
本実施形態の電子辞書には、国語辞典や和英辞典、英和辞典をはじめ、種々の辞書データが内蔵されている。
また、電子辞書には、過去に検索した見出し語や辞書モード別に設けられた単語帳に登録された見出し語など、予め特定された見出し語（特定見出し語）が、内蔵する記憶装置における所定の領域に格納されている。
いずれかの辞書モードにおいて、キーボードを介して検索対象となる見出し語が入力されると、電子辞書のＣＰＵは、入力された見出し語をキーとして該当する辞書データ内の検索を実行する。
【０００９】
そして、入力された見出し語に対応する解説情報を辞書データから読み出し、その解説情報を見出し語と共にメイン画面に表示する。
また、本実施形態の電子辞書では、入力された見出し語に対応する解説情報が読み出されると、ＣＰＵは、この解説情報の中に、特定見出し語が含まれているか否かを判断する。
そして、解説情報の中に特定見出し語と一致する文字列が含まれている場合、この一致する特定見出し語の文字列を他の文字列と異なる表示形態を用いて（区別して）メイン画面に表示する。
さらに、解説情報の中に特定見出し語と一致する文字列が含まれている場合、この一致する特定見出し語の解説情報をプレビュー画面に表示する。
このような表示処理を行うことにより、検索対象となる見出し語の解説の中に存在する特定見出し語及びその解説内容を、容易にユーザに認識させることができる。
【００１０】
（２）実施形態の詳細
図１は、電子辞書１の概略構成を示すブロック図である。
図１に示すように電子辞書１は、ＣＰＵ（Ｃｅｎｔｒａｌ  Ｐｒｏｃｅｓｓｉｎｇ  Ｕｎｉｔ）１１、入力部１２、表示部１３、外部Ｉ／Ｆ（インターフェース）１４、通信部１５、ＲＯＭ（Ｒｅａｄ  Ｏｎｌｙ  Ｍｅｍｏｒｙ）１６、ＲＡＭ（Ｒａｎｄｏｍ  Ａｃｃｅｓｓ  Ｍｅｍｏｒｙ）１７を備えている。
ＣＰＵ１１は、ＲＯＭ１６に記憶されている各種プログラムに従って、情報処理を行う中央演算処理装置である。本実施形態では、ＣＰＵ１１は、例えば、見出し語の検索処理、各種辞書における単語帳の作成（見出し語の登録）処理、比較対象設定処理、表示処理等の各種情報処理を行う。
【００１１】
入力部１２は、電子辞書１に対して情報をデータとして与える入力装置から構成されている。
図２は、電子辞書１の外観を示した図である。
本実施形態では、入力部１２は、図２に示すキーボード２０によって構成されているが、マイクを用いた音声入力装置やマウスなどによって構成するようにしてもよい。
本実施形態において入力部１２を構成するキーボード２０は、図２に示すように、電子辞書１における電源の入／切を行う入／切キー２１、電子辞書１の有する所定機能を選択するためのファンクションキー２２、各辞書の見出し語を所定の単語帳へ登録するための登録キー２３、特定見出し語の参照対象の設定画面を起動するための比較対象選択キー２４、検索する見出し語などの文字情報を入力するための文字入力キー２５、決定キー２６、カーソルを移動させるカーソルキー（十字キー）２７を備えている。
本実施形態では、カーソルキー２７は、メイン画面領域に表示される、見出し語の説明情報中に存在する複数の特定見出し語間におけるカーソルのジャンプ手段として機能する。
また、カーソルキー２７は、表示部１３に表示された画面のスクロール（画面送り）手段としても機能する。
【００１２】
図１の説明に戻り、表示部１３は、本実施形態では、図２に示す液晶のディスプレイ３０によって構成されている。
本実施形態では、ディスプレイ３０の画面が複数の領域に分割されることによって、メイン画面領域に表示された見出し語の説明情報中の特定見出し語に関する情報が、プレビュー画面領域（サブ画面領域）に表示される。なお、メイン画面領域は、第１の領域として機能し、プレビュー画面領域は第２の領域として機能する。
ディスプレイ３０におけるプレビュー画面領域の表示の有無、画面の分割数、表示文字サイズ、メイン画面領域のなどの設定は、任意に行うことができるように構成されている。
【００１３】
外部Ｉ／Ｆ１４は、着脱可能な外部記憶部１４１と電子辞書１のＣＰＵ１１の間の制御を行うインターフェースである。
本実施形態では、外部記憶部１４１として、各種メモリカードが用いられ、これらのメモリカードには、特定見出し語として機能する各分野別の重要語が記録されたリストデータなどが格納されている。
また、これらのメモリカードには、例えば、技術用語や法律用語などの専門用語を見出し語とした専門辞書データなどが格納されている。ユーザは、用途に応じて外部記憶部１４１から使用するデータを電子辞書１（ＲＡＭ１７）内へ読み込むことができる。
【００１４】
通信部１５は、電子辞書１をネットワーク１５１に接続するためのインターフェースを構成しており、ＣＰＵ１１は、この通信部１５を介して辞書サーバ１５２と通信することができる。
ユーザは、電子辞書１のＲＯＭ１６内に所望する辞書データが格納されていない場合には、通信部１５からネットワーク１５１を介して辞書サーバ１５２へアクセスし、電子辞書１に格納されていない辞書のデータを取得することができる。
なお、辞書サーバ１５２から取得した辞書データは、ＲＡＭ１７の所定の領域に格納され、後述する予め電子辞書１に格納されている辞書データ１６１と同様に使用することができる。
【００１５】
ＲＯＭ１６は、読み出し専用の記憶装置であって、ＣＰＵ１１を駆動するための基本的なプログラムや各種パラメータなどを格納している。
詳しくは、辞書データ１６１、初期設定データ１６２、見出し語検索プログラム１６３、単語帳登録プログラム１６４、履歴登録プログラム１６５、比較対象設定プログラム１６６、表示処理プログラム１６７、表示設定変更プログラム１６８などが格納されている。
辞書データ１６１には、見出し語とその見出し語に対応する説明情報（解説や訳文など）とが種別ごとに、例えば、分野、ジャンル、種類、使用目的別に分類されて記録されている。なお、辞書データ１６１は、情報記憶手段として機能する。
本実施形態では、辞書データ１６１に、国語辞典モード、漢字字典モード、英和辞典モード、英英辞典モード、和英辞典モード、カタカナ語辞典モード、百科事典モード、ことわざ辞典モードの８つの異なる辞書モードのデータが格納されている。
【００１６】
図３（ａ）は、辞書データ１６１に格納されている国語辞典データの一例を示した図である。
図３（ａ）に示すように、辞書データ１６１における国語辞典データには、見出し語、該見出し語の読み（検索用読み）、及び解説（説明情報）が対応付けられて、即ち、これらの情報が紐付けられた状態で格納されている。さらに、各見出し語には、該見出し語を識別するための単語Ｎｏ．（文字コード）、即ち、識別番号が付されている。
なお、各見出し語に付されている単語Ｎｏ．には、該見出し語が格納されている辞書モードの種別を識別可能な識別子が含まれている。詳しくは、図３（ａ）に示す単語Ｎｏ．において、上二桁（左から二桁）に示す文字列が辞書モードの識別子を示す。本実施形態では、例えば、「ＪＰ」が国語辞典の識別子を示し、「ＥＪ」が英和辞典の識別子を示し、また「ＪＥ」が和英辞典の識別子を示す。
初期設定データ１６２には、各種設定条件におけるデフォルト値のデータ、例えば、表示部１３に表示される文字サイズの初期値、メイン画面領域とプレビュー画面領域の比率の初期値などのデータが格納されている。
【００１７】
見出し語検索プログラム１６３は、入力部１２から見出し語が入力された場合、即ち、ユーザが見出し語を指定した場合、この見出し語に対応する説明情報を、辞書データ１６１から検索する（探し出す）処理を行うプログラムである。
見出し語検索プログラム１６３が起動した状態で、入力部１２から見出し語の文字列の入力がなされると、ＣＰＵ１１は、入力された文字列（読み）と一致する見出し語リストを表示する。そして、表示された見出し語リストから１の見出し語リストが指定（選択）され、そして、決定キー２６が押下されると、該当する見出し語の説明情報が表示される。
なお、本実施形態では、入／切キー２１が操作され電子辞書１の電源がオン状態となるとこの見出し語検索プログラム１６３が自動的に起動するように構成されている。
【００１８】
単語帳登録プログラム１６４は、各辞書モードで検索した見出し語のうちの特定の見出し語を、辞書データ１６１とは異なる領域、詳しくは、ＲＡＭ１７内の単語帳データ格納領域１７２に単語帳のデータとして登録する処理を行うプログラムである。
履歴登録プログラム１６５は、各辞書モードで検索した見出し語の情報をＲＡＭ１７内の履歴データ格納領域１７３に履歴データとして自動的に記録する処理を行うプログラムである。
比較対象設定プログラム１６６は、表示処理プログラム１６７による表示処理を実行する際に参照される表示候補の設定を行うプログラムである。なお、比較対象設定プログラム１６６の処理については、後述する図４のフローチャートにおいて詳細に説明する。
表示処理プログラム１６７は、入力部１２から入力された、即ちユーザによって指定された見出し語に対応する説明情報及びその他の情報を表示部１３に表示する処理を行うプログラムである。なお、表示処理プログラム１６７の処理については、後述する図７のフローチャートにおいて詳細に説明する。
表示設定変更プログラム１６８は、表示部１３における表示設定を変更する処理を行うプログラムである。なお、この表示設定変更プログラム１６８による処理については、後述する本実施形態の変形例において説明する。
【００１９】
ＲＡＭ１７は、読み書き可能な記憶装置であって、ＣＰＵ１１が各種の情報処理を行う際のワーキングエリアとして機能し、詳しくは、見出し語データ格納領域１７１、単語帳データ格納領域１７２、履歴データ格納領域１７３、設定データ格納領域１７４、特定語参照結果格納領域１７５などの記憶領域が設けられている。
見出し語データ格納領域１７１には、入力部１２から入力された見出し語のデータ、即ち、ユーザのキーボード２０の操作によって入力された文字列のデータが格納される。見出し語検索プログラム１６３は、この見出し語データ格納領域１７１に格納されたデータに基づいて辞書データ１６１の検索処理を実行する。
単語帳データ格納領域１７２には、各辞書モードで検索した見出し語のうち、ユーザによって特定された見出し語が対応する辞書モードごとに格納される。
【００２０】
図３（ｂ）は、単語帳データ格納領域１７２に格納されている国語辞典に対応する単語帳データの一例を示した図である。
図３（ｂ）に示すように、単語帳データ格納領域１７２には、単語登録された見出し語に該当（対応）する単語Ｎｏ．、即ち、見出し語の識別番号が、単語登録Ｎｏと対応付けられて格納されている。
なお、後述する履歴データ格納領域１７３においても、単語帳データ格納領域１７２と同様に時系列に見出し語の識別番号が格納されている。
【００２１】
履歴データ格納領域１７３には、各辞書モードで検索された見出し語のデータが随時格納される。なお、単語帳データ格納領域１７２、履歴データ格納領域１７３は、特定語記憶手段として機能する。
設定データ格納領域１７４には、表示処理プログラム１６７による表示処理を実行する際に参照される表示候補の設定データや、本実施形態の変形例において説明する表示部１３の変更設定データなど、指定された、または変更された各種設定に関するデータが格納される。
特定語参照結果格納領域１７５には、表示処理プログラム１６７の処理で実行される、指定された見出し語の説明情報と特定見出し語との比較参照の結果が格納される。
【００２２】
次に、以上の通り構成された電子辞書１における、情報処理について説明する。
本実施形態に係る電子辞書１には、ユーザによって指定された見出し語の説明情報をディスプレイ３０のメイン画面領域に表示する際に、この説明情報中に存在する特定見出し語に対応する説明情報をプレビュー画面領域に表示する特定見出し語参照機能が設けられている。
本実施形態では、辞書モード別（辞書ごと）に設けられている単語帳に登録されている見出し語（以下、登録見出し語とする）、及び、過去に検索された見出し語（以下、履歴見出し語とする）が特定見出し語として定義されている。
【００２３】
特定見出し語参照機能の説明をするにあたり、はじめに、特定見出し語として定義されている登録見出し語及び履歴見出し語の登録方法について説明する。
まず、登録見出し語の登録方法、即ち、単語帳への見出し語の登録方法について説明する。
辞書データ１６１におけるいずれかの辞書に格納されている見出し語が指定され、決定キー２６が押下されて、該当する見出し語の説明情報がディスプレイ３０に表示された状態、即ち、見出し語検索プログラム１６３による検索処理が実行された状態において、ユーザが図２に示す登録キー２３を押下すると、その見出し語、即ち、表示されている説明情報に対応する見出し語が単語帳に登録される。
【００２４】
詳しくは、ユーザが登録キー２３を押下すると、ＣＰＵ１１は、登録キー２３が操作されたことを検知し、ＲＯＭ１６に格納されている単語帳登録プログラム１６４を起動する。
単語帳登録プログラム１６４が起動すると、ＣＰＵ１１は、現在使用されている辞書モードの種別を認識し、そして、ＲＡＭ１７内の単語帳データ格納領域１７２に割り当てられた該当する辞書モードの領域に、表示されている説明情報に対応する見出し語、詳しくは、見出し語の単語Ｎｏ．のデータを書き込む。
電子辞書１では、ＣＰＵ１１が、単語帳参照機能が割り振られたファンクションキー２２の操作信号を検知すると、現在起動中の辞書モードに対応する単語帳の登録見出し語を単語帳データ格納領域１７２から読み出し、ディスプレイ３０に表示するように構成されている。
【００２５】
次に、履歴見出し語の登録方法について説明する。
本実施形態では、電子辞書１への電源投入時に見出し語検索プログラム１６３が起動すると同時に履歴登録プログラム１６５も起動する。履歴登録プログラム１６５が起動すると、辞書データ１６１におけるいずれかの辞書に格納されている見出し語が指定され、決定キー２６が押下されて、該当する見出し語の説明情報がディスプレイ３０に表示された時点で、ＣＰＵ１１は、ＲＡＭ１７内の履歴データ格納領域１７３に、表示されている説明情報に対応する見出し語、詳しくは、該見出し語の単語Ｎｏ．のデータを書き込む。
電子辞書１では、ＣＰＵ１１が、履歴参照機能が割り振られたファンクションキー２２の操作信号を検知すると、履歴見出し語を履歴データ格納領域１７３から読み出し、ディスプレイ３０に表示するように構成されている。
【００２６】
続いて、特定見出し語参照機能の利用時に、プレビュー画面領域に説明情報を表示する特定見出し語の種別の設定方法、即ち、プレビュー画面領域にて参照される表示候補の設定方法について説明する。
図４は、特定見出し語参照機能の利用時に、プレビュー画面領域に説明情報を表示する特定見出し語の種別の設定処理の手順を示したフローチャートである。
特定見出し語の種別とは、特定見出し語の対象となる見出し語が登録されている単語帳の辞書モードの種類を示す。なお、本実施形態では、履歴データ格納領域１７３に格納されている履歴見出し語も特定見出し語の種別の１つとして扱う。
ユーザによって、図２に示す比較対象選択キー２４が押下されると、ＣＰＵ１１は、比較対象選択キー２４が操作されたことを検知し、ＲＯＭ１６に格納されている比較対象設定プログラム１６６を起動する。
【００２７】
比較対象設定プログラム１６６が起動すると、ＣＰＵ１１は、表示部１３（ディスプレイ３０）に、電子辞書１に予め設定されている選択可能な比較対象候補、即ち、特定見出し語の種別候補の一覧を表示する（ステップ１１）。
図５（ａ）は、比較対象候補（表示候補）の一覧表示画面の一例を示した図である。
また、図５（ｂ）は、参照表示対象となる特定見出し語の属する種別が選択された表示画面の一例を示した図である。
図５（ａ）に示すような一覧を示し、参照表示対象となる特定見出し語の属する種別の選択をユーザに促す。
図５（ｂ）に示すように、種別の選択は、それぞれの種別項目に設けられたチェックボックスに、チェックマークを付すことによって行うことができる。
【００２８】
カーソルキー２７を操作することによってカーソル（画面上で反転表示されている領域）を選択する種別項目に合わせ、その状態において決定キー２６を押下することによって、該当種別項目のチェックボックスにチェックマークを付すことができる。
なお、チェックボックスにチェックマークが付されている種別項目にカーソルを合わせ、その状態において決定キー２６を押下することによって、チェックマークを外すことができる。
図４の説明に戻り、比較対象候補（表示候補）の種別選択がなされると、即ち、種別項目のチェックボックスにチェックマークが付され、決定キー２６が押下されると、ＣＰＵ１１は、該当する種別項目の選択を受け付け、受け付けた設定情報を、ＲＡＭ１７内の設定データ格納領域１７４に格納する（ステップ１２）。
そして、ＣＰＵ１１は、設定データ格納領域１７４に格納された比較対象候補（表示候補）の設定情報に基づいて、比較用データテーブル、即ち、参照対象となる特定見出し語のリストデータを作成する（ステップ１３）。
ＣＰＵ１１は、作成した比較用データテーブルをＲＡＭ１７内の設定データ格納領域１７４に格納した後、処理を終了する。
【００２９】
ここで、ステップ１３において作成される比較用データテーブルについて説明する。
図６は、比較用データテーブルの一例を示した図である。
ＣＰＵ１１は、選択された種別（辞書モード）に該当する登録見出し語及び履歴見出し語を、単語帳データ格納領域１７２及び履歴データ格納領域１７３から読み出し、図６に示すような比較用データテーブルを作成する。
比較用データテーブルには、図６に示すように、比較用ワード（特定見出し語）、見出し語を識別する単語Ｎｏ．及び記憶箇所の情報が紐付けられている。比較用データテーブルでは、これらの情報が単語Ｎｏ．（文字コード）順にソートされている。
なお、比較用ワードは、単語帳データ格納領域１７２に登録されている単語Ｎｏ．に基づいて辞書データ１６１から抽出することによって得られるデータである。
また、記憶箇所とは、該当する比較用ワードが格納されている領域を示し、具体的には、「Ｗ」は単語帳データ格納領域１７２を示し、「Ｈ」は履歴データ格納領域１７３を示す。図示されていないが、単語帳データ格納領域１７２に格納されている比較用ワードには、記憶箇所情報として、該当する単語帳の辞書モードを識別（特定）するコードが付されている。
【００３０】
次に、特定見出し語参照機能を利用した場合における、指定された見出し語の検索結果、即ち、指定された見出し語に対応する説明情報の表示方法について説明する。
図７は、特定見出し語参照機能が有効な場合における、指定された見出し語の検索結果の表示処理の手順を示したフローチャートである。
特定見出し語参照機能が有効に設定されている場合には、表示処理プログラム１６７が起動され、このプログラムに従って表示処理が実行される。なお、本実施形態では、国語辞典モードにおいて「緑茶（りょくちゃ）」という見出し語の検索を行う場合を例にとり説明を行う。
電子辞書１に設定されているいずれかの辞書モード（ここでは国語辞典モード）において、電子辞書１の入力部１２、即ち、文字入力キー２５から検索対象となる見出し語の文字情報が入力されると、ＣＰＵ１１は、入力された文字情報をＲＡＭ１７内の見出し語データ格納領域１７１に格納する。即ち、ＣＰＵ１１は、見出し語データの指定を受け付ける。
【００３１】
そして、ＣＰＵ１１は、見出し語データ格納領域１７１に格納された文字列、即ち、指定された見出し語を辞書データ１６１から検索し、この指定された見出し語に対応する解説をＲＡＭ１７内の所定のワーキング領域に読み出す（ステップ２１）。
次に、ＣＰＵ１１は、上述した参照表示対象となる特定見出し語の属する種別の選択条件（設定条件）に基づいて作成された比較用データテーブルを、ＲＡＭ１７内の設定データ格納領域１７４から読み出す（ステップ２２）。
続いてＣＰＵ１１は、指定された見出し語に対応する解説の文字列の中に、比較用データテーブルに格納されている比較用ワード、即ち、特定見出し語と一致する文字列が存在するか否かを判断する（ステップ２３）。
ここでＣＰＵ１１は、指定された見出し語に対応する解説の文字列の中から、特定見出し語と一致する文字列を抽出する処理を行う。そして、指定された見出し語に対応する解説の文字列の中から、特定見出し語と一致する文字列が抽出された場合、特定見出し語と一致する文字列が存在すると判断する。
【００３２】
つまり、ＣＰＵ１１は、見出し語「りょくちゃ［緑茶］」に対応する解説「茶の若葉を蒸し、焙炉（ほいろ）でもみながら乾燥させた茶」の中に、比較用データテーブルに格納されている比較用ワード（特定見出し語）と一致する文字列が含まれているか否かを判断する。
なお、ここでＣＰＵ１１は、はじめに、指定された見出し語に対応する解説の文字列の先頭文字と、比較用データテーブルの比較用ワードの文字列の先頭文字と、で一致する文字があるか否かを判断（比較）する。一致する文字がある場合、ＣＰＵ１１は、比較用ワードの文字列と、指定された見出し語に対応する解説の文字列とが完全一致するか否かを判断する。
一致する文字がない場合、ＣＰＵ１１は、指定された見出し語に対応する解説の文字列の２番目の文字と、比較用データテーブルの比較用ワードの文字列の先頭文字と、を比較し、同様の処理を続ける。
【００３３】
そして、指定された見出し語に対応する解説の文字列の中に、比較用データテーブルに格納されている比較用ワード（特定見出し語）と一致する文字列が存在しない場合（ステップ２３；Ｎ）、ＣＰＵ１１は、指定された見出し語に対応する解説を全画面表示されたメイン画面領域の領域に表示し（ステップ２４）、メインルーチンにリターンする。
つまり、指定された見出し語に対応する解説の文字列の中に特定見出し語が存在しない場合には、プレビュー画面領域は表示されない。
【００３４】
一方、指定された見出し語に対応する解説の文字列の中に、比較用データテーブルに格納されている比較用ワード（特定見出し語）と一致する文字列が存在する場合（ステップ２３；Ｙ）、ＣＰＵ１１は、一致する特定見出し語が複数存在するか否かを判断する（ステップ２５）。
つまりＣＰＵ１１は、指定された見出し語の解説の文字列と一致する特定見出し語の数を判断する。
指定された見出し語の解説の文字列と一致する特定見出し語が複数でない場合、即ち、１つの特定見出し語のみが一致した場合（ステップ２５；Ｎ）、ＣＰＵ１１は、指定された見出し語に対応する解説をメイン画面領域に表示し、また、一致する特定見出し語の解説を、該当する辞書データ１６１から読み出し、プレビュー画面領域に表示する（ステップ２６）。そして、ＣＰＵ１１は、画面表示をした後、メインルーチンにリターンする。
【００３５】
ここで、ステップ２６の処理によって表示される表示画面について説明する。
図８は、指定された見出し語の解説の文字列と、１つの特定見出し語のみが一致した場合における表示画面の一例を示した図である。
例えば、見出し語「りょくちゃ［緑茶］」に対応する解説の文字列と、１つの特定見出し語「わかば［若葉］」のみが一致した場合、表示部１３の表示領域が、図８に示すように、上下方向に２分割される。詳しくは、上半分のメイン画面領域と下半分のプレビュー画面領域に分割される。
そして、メイン画面領域に見出し語「りょくちゃ［緑茶］」とその解説が表示され、プレビュー画面領域に特定見出し語「わかば［若葉］」とその解説が表示される。
【００３６】
また、図８に示すように、メイン画面領域に表示される見出し語「りょくちゃ［緑茶］」の解説の中の「若葉」の文字列のみを反転表示させる。
このように、メイン画面領域に表示されている解説の中の特定見出し語の文字列を反転表示させることにより、見出し語の解説の中の他の文字列と識別（区別）することが容易にできる。そのため、ユーザは、プレビュー画面領域に解説が表示されている特定見出し語が、メイン画面領域に表示されている解説の中のどの部分に存在（出現）しているかを容易に視覚的に認識することができる。
【００３７】
図７の説明に戻り、指定された見出し語の解説の文字列と一致する特定見出し語が複数存在する場合（ステップ２５；Ｙ）、ＣＰＵ１１は、指定された見出し語に対応する解説をメイン画面領域に表示し、一致する特定見出し語のうち、解説の文字列において一番始めに出現する特定見出し語の解説を、該当する辞書データ１６１から読み出し、プレビュー画面領域に表示する（ステップ２７）。
ここで、ステップ２７の処理によって表示される表示画面について説明する。
図９（ａ）は、指定された見出し語の解説の文字列と、複数の特定見出し語が一致した場合における表示画面の一例を示した図である。
例えば、見出し語「りょくちゃ［緑茶］」に対応する解説の文字列と、複数の特定見出し語（「わかば［若葉］」と「かんそう［乾燥］」）が一致した場合、メイン画面領域に見出し語「りょくちゃ［緑茶］」とその解説が表示される。そして、プレビュー画面領域に、メイン画面領域における見出し語の解説の文字列において一番始めに出現する特定見出し語「わかば［若葉］」とその解説が表示される。
【００３８】
また、複数の特定見出し語が一致した場合には、メイン画面領域に表示されている解説の中に出現する全ての特定見出し語に下線を付して表示させ、さらに、現在プレビュー画面領域にその解説が表示されている特定見出し語の文字列を反転表示させる。
本実施形態では、この反転表示されている位置は、画面上のカーソルの存在位置を示す。
メイン画面領域に表示されている解説の中に出現する全ての特定見出し語に下線を付すことにより、ユーザは、解説の中のどの部分に特定見出し語が存在（出現）しているかを容易に視覚的に認識することができる。
なお、特定見出し語の識別表示は、下線を付す表示形態に限定されるものではなく、例えば、特定見出し語の文字列を異なる色で表示するようにしてもよい。
【００３９】
図７の説明に戻り、次にＣＰＵ１１は、入力部１２におけるカーソルキー２７が操作され、メイン画面領域に表示されているカーソルの移動操作が行われたか否かを判断する（ステップ２８）。ＣＰＵ１１は、カーソルキー２７の操作信号を検知することによりカーソルの移動操作が行われたか否かを判断する。
なお、本実施形態では、例えば、→方向を示すカーソルキー２７を押下するごとに、表示されるカーソルの位置が、メイン画面領域に表示されている解説の中のより後方（後段）に出現する特定見出し語へ順次ジャンプするように構成されている。
また、例えば、←方向を示すカーソルキー２７を押下するごとに、表示されるカーソルの位置が、メイン画面領域に表示されている解説の中のより前方（前段）に出現する特定見出し語へ順次ジャンプするように構成されている。
【００４０】
カーソルの移動操作が行われない場合（ステップ２８；Ｎ）、ＣＰＵ１１は、現在の表示状態を維持したままメインルーチンにリターンする。
一方、カーソルの移動操作が行われた場合（ステップ２８；Ｙ）、ＣＰＵ１１は、メイン画面領域に表示されたカーソルの移動先、即ち、カーソルによって指定された特定見出し語の解説を、該当する辞書データ１６１から読み出してプレビュー画面領域に表示し（ステップ２９）、再びステップ２８の処理に戻る。
【００４１】
ここで、ステップ２９の処理によって表示される表示画面について説明する。
図９（ｂ）は、指定された見出し語の解説の文字列と、カーソルの移動操作が行われた場合における表示画面の一例を示した図である。
例えば、図９（ａ）に示すように、見出し語「りょくちゃ［緑茶］」に対応する解説の中の「若葉」の文字列上にあったカーソルが、↓方向のカーソルキー２７が１回押下されることによって、図９（ｂ）に示すように、「若葉」の次に出現する「乾燥」の文字列の位置に移動した場合について説明する。
カーソルの位置が「乾燥」の文字列の位置に移動すると、プレビュー画面領域に、カーソルによって指定された特定見出し語、即ち「乾燥」とその解説が表示される。
なお、ステップ２９の処理においてプレビュー画面領域の表示内容が変更（更新）された場合においても、メイン画面領域には、引き続き指定された見出し語に対応する解説が表示される。ただし、メイン画面領域におけるカーソルが存在する箇所、即ち「乾燥」の文字列は反転表示される。
【００４２】
また、メイン画面領域に表示されている解説文字列中の特定見出し語の文字列の位置にカーソルがある状態において、即ち、カーソルによっていずれかの文字列が指定された状態において、決定キー２６が押下されると、ＣＰＵ１１は、カーソルによって指定された見出し語を、新たに入力された見出し語として、ＲＡＭ１７内の見出し語データ格納領域１７１に格納し、再びステップ２１の処理を繰り返す。
例えば、図９（ｂ）に示すように、メイン画面領域に表示されている「乾燥」の文字列がカーソルで指定（指示）されている状態において、決定キー２６が押下されると、ＣＰＵ１１は、「乾燥」を指定された見出し語として認識する。
図９（ｃ）は、カーソルの表示が特定見出し語上にある状態において、決定キー２６が押下された場合における表示画面の一例を示した図である。
そして、図９（ｃ）に示すように、メイン画面領域に見出し語「かんそう［乾燥］」とその解説が表示され、プレビュー画面領域に、比較用データテーブルに格納されている比較用ワード（特定見出し語）に一致する特定見出し語「ａｒｉｄｉｔｙ」とその解説が表示される。
【００４３】
本実施形態によれば、上述したような特定見出し語参照機能を用いることにより、検索対象となる見出し語の解説の中に、登録見出し語や履歴見出し語などの特定見出し語が存在する場合には、その特定見出し語を他の文字列（特定見出し語でない文字列）と識別可能に表示させることができる。
これにより、単語帳に登録されている見出し語や過去に検索を行った見出し語の理解をより適切に促すことができるため、電子辞書１を使用するユーザの利便性をより向上させることができる。
また、検索対象となる見出し語の解説の中に存在する特定見出し語の解説を、プレビュー画面領域に自動的に表示させることにより、特定見出し語の解説を表示させるための検索操作（ジャンプ動作）を実行させることなく、特定見出し語の解説をユーザに認識させることができる。
【００４４】
次に、上述した実施形態の変形例について説明する。
（第１変形例）
上述した実施形態では、比較用データテーブルにおいて、１つの比較用ワード（特定見出し語）に対して、１つの記憶箇所の情報が紐付けられている場合について説明した。
そこで第１変形例では、比較用データテーブルにおいて、１つの比較用ワード（特定見出し語）に対して、複数の記憶箇所の情報が紐付けられている場合について説明する。
ここでは、その一例として、比較用データテーブルにおいて、特定見出し語の「わかば［若葉］」に、国語辞典モードの単語帳及び和英辞典モードの単語帳の２つの記憶箇所の情報が紐付けられている場合の表示処理について説明する。詳しくは、このような場合における、図７に示すフローチャートのステップ２６の処理について説明する。
【００４５】
図１０（ａ）及び（ｂ）は、比較用データテーブルにおいて、１つの比較用ワード（特定見出し語）に対して、複数の記憶箇所の情報が紐付けられている場合における表示画面の一例を示した図である。
上述した実施形態と同様に、見出し語「りょくちゃ［緑茶］」に対応する解説の文字列と、１つの特定見出し語「わかば［若葉］」のみが一致した場合、メイン画面領域に見出し語「りょくちゃ［緑茶］」とその解説が表示され、プレビュー画面領域に特定見出し語「わかば［若葉］」とその解説が表示される。
さらに、メイン画面領域における特定見出し語の「若葉」の文字列には、図１０（ａ）及び（ｂ）に示すように、この特定見出し語の「若葉」が記憶（登録）されている記憶箇所数を示す数字が付されて表示される。
【００４６】
詳しくは、メイン画面領域に表示される、指定された見出し語の解説の文字列において、複数の記憶箇所の情報が紐付けられている特定見出し語と、この特定見出し語の直前の文字との間に、該特定見出し語の記憶箇所数を示す丸付け数字を挿入する。
なお、この記憶箇所数を示す丸付け数字の表示領域は、丸付け数字が付されている特定見出し語の一部として認識される。そのため、カーソルがこの特定見出し語に合わされた場合には、特定見出し語と同様に丸付け数字もまた反転表示される。
【００４７】
そして、指定された見出し語の解説中の特定見出し語に、複数の記憶箇所の情報が紐付けられている場合には、はじめに、図１０（ａ）に示すように、該特定見出し語が登録された順番が最も新しい記憶箇所（単語帳）に該当する解説がプレビュー画面領域に表示される。即ち、単語登録Ｎｏが大きい順にプレビュー画面領域に表示される。
続いて、↓方向を示すカーソルキー２７が押下されるごとに、登録された順番が次に早い記憶箇所に該当する解説がプレビュー画面領域に表示される。
特定見出し語の解説がプレビュー画面領域に表示される順番は、該特定見出し語が登録された時期が早い順に限定されるものではなく、例えば、該特定見出し語が登録された時期が遅い順に表示するようにしても、また、予め設定された特定見出し語の種別候補の優先順位に基づいて表示するようにしてもよい。
このように、第１変形例によれば、同一の見出し語が複数の辞書モードにおける単語帳に登録されている場合であっても、簡単なカーソルキー２７の操作をするだけで、プレビュー画面領域において、それぞれの辞書モードにおける解説を切り替え表示させることができる。
【００４８】
（第２変形例）
上述した実施形態では、メイン画面領域におけるカーソルの位置を移動させることによって、プレビュー画面領域に表示させる特定見出し語の解説を切り替え表示させる方法について説明したが、特定見出し語の解説の表示方法は、これに限定されるものではない。そこで第２変形例では、特定見出し語の解説の他の表示方法について説明する。
指定された見出し語の解説の文字列と一致する特定見出し語が複数存在する場合、ＣＰＵ１１は、指定された見出し語に対応する解説をメイン画面領域に表示し、一致する全ての特定見出し語とその解説を、プレビュー画面領域を分割して表示するようにしてもよい。
例えば、見出し語「りょくちゃ［緑茶］」に対応する解説の文字列と、２つの特定見出し語（「わかば［若葉］」と「かんそう［乾燥］」）が一致した場合、プレビュー画面領域を上下方向に２分割する。そして、分割されたプレビュー画面領域の上半分の領域に、特定見出し語「わかば［若葉］」とその解説を表示し、下半分の領域に特定見出し語「かんそう［乾燥］」とその解説を表示するようにしてもよい。
【００４９】
また、このようなプレビュー画面領域の分割を伴う表示方法は、第１変形例で説明したような、指定された見出し語の解説中の特定見出し語に、複数の記憶箇所の情報が紐付けられている場合にも応用することができる。
詳しくは、特定見出し語の「わかば［若葉］」に、国語辞典モードの単語帳及び和英辞典モードの単語帳の２つの記憶箇所の情報が紐付けられている場合、プレビュー画面領域を上下方向に２分割する。そして、分割されたプレビュー画面領域の上半分の領域に、特定見出し語「わかば［若葉］」とその国語辞典モードに対応する解説を表示し、下半分の領域に特定見出し語「わかば［若葉］」とその和英辞典モードに対応する解説を表示するようにしてもよい。
このように、第２変形例によれば、プレビュー画面領域を分割することにより、ディスプレイ３０における１画面上に複数の特定見出し語の解説を表示させることができるため、電子辞書１における一覧性を向上させることができる。
【００５０】
（第３変形例）
本実施形態で説明した携帯型の電子辞書１では、表示部１３を構成するディスプレイ３０の表示領域の面積が、デスクトップ型ＰＣに設けられているディスプレイと比較してかなり制限される。
そこで第３変形例では、電子辞書１における一覧性をより向上させるために、表示させる情報量に応じて文字サイズを変更する表示方法について説明する。
例えば、第２変形例で説明したように、プレビュー画面領域を分割して、複数の特定見出し語の解説を一覧表示する場合に、１つの見出し語の解説を表示するために割り当てられる領域の面積は、プレビュー画面領域の分割数に応じてさらに制限されてしまう。
つまり、それぞれの見出し語の解説は、プレビュー画面領域における極端に制限された小さな領域に表示しなければならない。
そのため、見出し語に対応する解説の情報量が大きい場合、初期設定（デフォルト設定）の状態における表示文字サイズのままでは、割り当てられた表示領域に解説の全ての情報を表示することができない可能性がある。全ての情報が表示されない場合、ユーザは、全ての解説の内容を確認するために、所定の画面のスクロール操作やページ送り操作を行う必要がある。
【００５１】
そこで、このような操作によるユーザの負担を軽減するために、プレビュー画面領域における表示文字サイズを、見出し語に対応する解説の情報量及び割り当てられた表示領域の大きさ（サイズ）に基づいて自動的に変更させるようにしてもよい。
このような表示文字サイズの自動変更処理は、表示設定変更プログラム１６８を起動させることによって実行することができる。
詳しくは、ＣＰＵ１１は、見出し語に対応する解説の情報量と、割り当てられた表示領域の大きさとを比較し、割り当てられた表示領域に、見出し語及び見出し語に対応する解説の全てが表示可能な文字サイズを算出する。そして、算出された文字サイズに基づいて、表示文字サイズの設定を変更した後、プレビュー画面領域における情報の表示処理を行う。
【００５２】
ただし、電子辞書１には、視認可能な範囲での表示処理を実行するために、予め最小表示文字サイズ、即ち表示する文字サイズの下限値が設定されている。そのため、上述した処理において算出された文字サイズが最小表示文字サイズを下回る場合には、表示文字サイズの設定を最小表示文字サイズに変更して表示処理を実行する。
なお、表示文字サイズの自動変更機能の有効化／無効化は、表示サイズの自動変更機能が割り付けられた所定のファンクションキー２２を操作することにより任意に切り替えることができる。
このように、第３変形例によれば、表示させる情報量に応じて文字サイズを変更することにより、ディスプレイ３０における１画面上により多くの情報を表示させることができるため、電子辞書１における一覧性をより向上させることができる。
【００５３】
（第４変形例）
上述した第３変形例では、表示文字サイズを自動的に小さいサイズに変更する表示方法について説明したが、電子辞書１における一覧性を向上させる表示方法はこれに限定されるものではない。
そこで第４変形例では、電子辞書１における一覧性をより向上させる他の表示方法として、メイン画面領域とプレビュー画面領域の比率を変更する表示方法について説明する。
上述した実施形態では、メイン画面領域とプレビュー画面領域の比率が常に固定されている。そのため、指定された見出し語に対応する解説の情報量の大小にかかわらず、メイン画面領域のサイズは、初期設定データ１６２に格納されている比率に基づいて一定の大きさに固定されている。
【００５４】
そのため、例えば、指定された見出し語に対応する解説の情報量がきわめて少ない場合には、メイン画面領域における下方領域は、何の情報も表示されない広い空白領域（空領域）となる。
そこで、ディスプレイ３０における表示画面領域をより有効的に利用するために、上述したようなメイン画面領域の空白領域となる領域を、プレビュー画面領域として使用できるように、メイン画面領域とプレビュー画面領域との比率を自動的に変更させるようにしてもよい。
このような表示領域の比率変更は、上述した表示文字サイズの自動変更処理と同様に、表示設定変更プログラム１６８を起動させることによって実行することができる。
【００５５】
詳しくは、ＣＰＵ１１は、指定された見出し語に対応する解説の情報、即ち、メイン画面領域に見出し語、及びその解説情報が全て表示可能な領域サイズを算出する。そして、算出された文字サイズに基づいて、メイン画面領域とプレビュー画面領域との表示比率を変更した後、プレビュー画面領域における情報の表示処理を行う。
ただし、上述した処理において算出された領域サイズが、初期設定（デフォルト設定）における表示比率に基づくメイン画面領域のサイズを上回る場合には、表示文字サイズの設定を初期設定によって定義された表示比率に基づいて表示処理を実行する。
なお、表示領域の自動変更機能の有効化／無効化は、表示領域の自動変更機能が割り付けられた所定のファンクションキー２２を操作することにより任意に切り替えることができる。
【００５６】
このように、第４変形例によれば、指定された見出し語に対応する解説の情報量に応じて、メイン画面領域のサイズ、即ち、メイン画面領域とプレビュー画面領域の表示比率を変更することにより、ディスプレイ３０における表示画面領域をより有効的に利用することができる。
特に、プレビュー画面領域に表示する特定見出し語の情報量が多い場合などには、ディスプレイ３０における１画面上により多くの情報を表示させることができるため、電子辞書１における一覧性をより向上させることができる。
また、第４変形例で説明した表示領域の自動変更機能と、第３変形例で説明した表示文字サイズの自動変更機能とを併用することにより、ディスプレイ３０における１画面上にさらに多くの情報を表示させることができるため、電子辞書１における一覧性をより向上させることができる。
【図面の簡単な説明】
【００５７】
【図１】電子辞書の概略構成を示すブロック図である。
【図２】電子辞書の外観を示した図である。
【図３】（ａ）は辞書データに格納されている国語辞典データの一例を示した図であり、（ｂ）は単語帳データ格納領域に格納されている国語辞典に対応する単語帳データの一例を示した図である。
【図４】特定見出し語参照機能の利用時に、プレビュー画面領域に説明情報を表示する特定見出し語の種別の設定処理の手順を示したフローチャートである。
【図５】（ａ）は比較対象候補の一覧表示画面の一例を示した図であり、（ｂ）は参照表示対象となる特定見出し語の属する種別が選択された表示画面の一例を示した図である。
【図６】比較用データテーブルの一例を示した図である。
【図７】特定見出し語参照機能が有効な場合における、指定された見出し語の検索結果の表示処理の手順を示したフローチャートである。
【図８】指定された見出し語の解説の文字列と、１つの特定見出し語のみが一致した場合における表示画面の一例を示した図である。
【図９】（ａ）は指定された見出し語の解説の文字列と、複数の特定見出し語が一致した場合における表示画面の一例を示した図であり、（ｂ）は指定された見出し語の解説の文字列と、カーソルの移動操作が行われた場合における表示画面の一例を示した図であり、（ｃ）はカーソルの表示が特定見出し語上にある状態において、決定キーが押下された場合における表示画面の一例を示した図である。
【図１０】（ａ）及び（ｂ）は、比較用データテーブルにおいて、１つの比較用ワードに対して、複数の記憶箇所の情報が紐付けられている場合における表示画面の一例を示した図である。
【符号の説明】
【００５８】
１  電子辞書
１１  ＣＰＵ
１２  入力部
１３  表示部
１４  外部Ｉ／Ｆ
１５  通信部
１６  ＲＯＭ
１７  ＲＡＭ
２０  キーボード
２１  入／切キー
２２  ファンクションキー
２３  登録キー
２４  比較対象選択キー
２５  文字入力キー
２６  決定キー
２７  カーソルキー
３０  ディスプレイ
１４１  外部記憶部
１５１  ネットワーク
１５２  辞書サーバ
１６１  辞書データ
１６２  初期設定データ
１６３  見出し語検索プログラム
１６４  単語帳登録プログラム
１６５  履歴登録プログラム
１６６  比較対象設定プログラム
１６７  表示処理プログラム
１６８  表示設定変更プログラム
１７１  見出し語データ格納領域
１７２  単語帳データ格納領域
１７３  履歴データ格納領域
１７４  設定データ格納領域
１７５  特定語参照結果格納領域
【図１】
2008165713.tif 000003
【図２】
2008165713.tif 000004
【図３】
2008165713.tif 000005
【図４】
2008165713.tif 000006
【図５】
2008165713.tif 000007
【図６】
2008165713.tif 000008
【図７】
2008165713.tif 000009
【図８】
2008165713.tif 000010
【図９】
2008165713.tif 000011
【図１０】
2008165713.tif 000012